(57)【特許請求の範囲】
【請求項１】
梁部材に架け渡されて該梁部材へ連結された支持部材と、
前記支持部材から吊り下げられ、天井ボードが取り付けられる受け部材に連結されて、該天井ボードを吊り下げる吊り部材と、
複数の前記受け部材を繋ぐ補強パイプと、
前記補強パイプと前記支持部材とを繋ぐパイプブレースと、
を有する天井構造。
【請求項２】
少なくとも一方を傾斜させて吊り下げた隣り合う前記天井ボードにより形成された天井屈曲面の屈曲部を介し平面視にて隣り合う前記補強パイプを繋いで、前記補強パイプと梯子構造を構成する繋ぎパイプを有する請求項１に記載の天井構造。
【請求項３】
隣り合う前記天井ボードの端部同士を連結する補強プレートを有する請求項２に記載の天井構造。
【発明の詳細な説明】
【技術分野】
【０００１】
本発明は、吊り下げられた天井ボードによって天井面を形成する天井構造に関する。
【背景技術】
【０００２】
特許文献１には、吊りボルトによって吊り下げられた天井構造枠に天井ボードを取り付けた吊り天井が開示されている。例えば、音楽ホールや映画館等の建物においては、優れた音響効果を発揮させるために、このような吊り天井の天井ボードを傾斜させた状態で吊り下げて配置し、複数の天井ボードによって屈曲した天井面を形成することが多い。
【０００３】
しかし、地震時において、吊り下げられた天井ボードには揺れが生じるので、天井ボードが落下しないようにこの揺れを抑えなければならない。特に、大地震時においては、この問題が顕著になる。
【先行技術文献】
【特許文献】
【０００４】
【特許文献１】特開２００７−１４６５８４号公報
【発明の概要】
【発明が解決しようとする課題】
【０００５】
本発明は係る事実を考慮し、吊り下げられた天井ボードに生じる揺れを低減することができる天井構造を提供することを課題とする。
【課題を解決するための手段】
【０００６】
請求項１に記載の発明は、梁部材に架け渡されて該梁部材へ連結された支持部材と、前記支持部材から吊り下げられ、天井ボードが取り付けられる受け部材に連結されて、該天井ボードを吊り下げる吊り部材と、複数の前記受け部材を繋ぐ補強パイプと、前記補強パイプと前記支持部材とを繋ぐパイプブレースと、を有する天井構造である。
【０００７】
請求項１に記載の発明では、吊り下げられた天井ボードに生じる地震時の揺れを、補強パイプと支持部材とを繋ぐパイプブレースによって抑えることができる。特に、天井ボードが傾斜して吊り下げられた天井ボードに生じる地震時の複雑な揺れを、補強パイプと支持部材とを繋ぐパイプブレースによって抑えることができる。
【０００８】
請求項２に記載の発明は、少なくとも一方を傾斜させて吊り下げた隣り合う前記天井ボードにより形成された天井屈曲面の屈曲部を介し平面視にて隣り合う前記補強パイプを繋いで、前記補強パイプと梯子構造を構成する繋ぎパイプを有する。
【０００９】
請求項２に記載の発明では、補強パイプにより複数の受け部材を繋いで一体化し、隣り合う前記天井ボードにより形成された天井屈曲面の屈曲部を介し平面視にて隣り合う補強パイプを繋ぎパイプで繋いで、補強パイプと繋ぎパイプとにより梯子構造を構成して天井そのものの剛性を向上させることによって、天井屈曲面の屈曲部付近の強度を高めることができ、また、複数の天井ボードを一体化し稜線を有する１つの一体化された天井屈曲面を形成して、個々の天井ボードに生じる揺れを抑えることができる。
【００１０】
請求項３に記載の発明は、隣り合う前記天井ボードの端部同士を連結する補強プレートを有する。
【００１１】
請求項３に記載の発明では、隣り合う天井ボードの端部同士が連結される連結部を補強することができる。
【発明の効果】
【００１２】
本発明は上記構成としたので、吊り下げられた天井ボードに生じる揺れを低減することができる。
【図面の簡単な説明】
【００１３】
【図１】本実施形態に係る天井構造を示す側面図である。
【図２】本実施形態に係る支持部材を示す斜視図である。
【図３】本実施形態に係る第１連結機構を示す断面図である。
【図４】図３のＡ−Ａ断面図である。
【図５】本実施形態に係る補強構造を示す斜視図である。
【図６】本実施形態に係る上部吊り金物を示す断面図である。
【図７】図６のＢ−Ｂ矢視図である。
【図８】本実施形態に係る補強構造を示す側面図である。
【図９】本実施形態に係る下部吊り金物を示す側面図である。
【図１０】図９のＣ−Ｃ矢視図である。
【図１１】本実施形態に係るパイプブレースを示す斜視図である。
【図１２】本実施形態に係る第２連結機構を示す斜視図である。
【図１３】本実施形態に係る補強構造の変形例を示す側面図である。
【図１４】本実施形態に係る下部吊り金物の変形例を示す正面図である。
【発明を実施するための形態】
【００１４】
図を参照しながら、本発明の実施形態に係る天井構造について説明する。
【００１５】
図１の側面図には、建物の屋根部の一部が示されている。天井構造１０では、形鋼からなる吊り支柱１２によって、建物の屋根部に設けられた構造物１４に複数の梁部材１６が略水平に吊り支持されている。梁部材１６は、隣り合って配置された吊り支柱１２の下端部の間に架け渡されている。以下の説明では、梁部材１６の梁長方向をＸ方向とし、このＸ方向と直交する水平方向をＹ方向（不図示）とする。
【００１６】
構造物１４は、形鋼からなる複数の躯体梁１８、２０を平面視にて格子状に配置して構成されている。躯体梁１８と躯体梁２０とは、平面視にて直交するように配置されて接合されている。
【００１７】
吊り支柱１２は、上端部が躯体梁２０の下面に剛強に接合されており、下端部が梁部材１６の端部に剛強に接合されている。また、隣り合う柱支柱１２、隣り合う柱支柱１２の上端部を繋ぐ形鋼からなる繋ぎ梁５２、及び梁部材１６により構成された架構２２には、形鋼からなる一対のブレース部材２４が対角線上に交差して設けられており、架構２２に生じるせん断変形に対する補強が施されている。すなわち、梁部材１６は、構造物１４に強固に吊り支持されている。
【００１８】
梁部材１６は、図２の斜視図に示すように、Ｙ方向に対して略平行に複数配置されており、この梁部材１６の上に支持部材２６が架け渡され、図３の断面図に示すように、第１連結機構２８によって梁部材１６へ支持部材２６が連結されている。
【００１９】
図２に示すように、支持部材２６には、上端部に設けられた上部吊り金物３０がこの支持部材２６に連結されて固定された吊り部材３２が吊り下げられている。また、図５の斜視図に示すように、吊り部材３２は、下端部に設けられた下部吊り金物３４を、天井ボード３６が取り付けられる受け部材としての野縁受け材３８に連結することにより、天井ボード３６を傾斜させた状態で吊り下げている。天井ボード３６は、下方に凸の天井屈曲面４０を形成するように角度を有して隣り合い配置されている。隣り合う天井ボード３６は、ともに傾斜して吊り下げられている。
【００２０】
梁部材１６は、図３のＡ−Ａ断面図である図４に示すように、Ｃ形鋼からなる一対の構造部材４２、４４により構成されている。構造部材４２、４４は、ウェブ４６、４８の外面同士が隙間５０を開けて向かい合うようにして配置されている。
【００２１】
第１連結機構２８は、図３及び図４に示すように、鋼製の連結部材５４、鋼製の受け板５６、締結部材としてのボルト５８、及び支持部材２６や防振ゴム９０の固定ボルトとしてのボルト６０を有している。
【００２２】
連結部材５４は、門形部６２と、この門形部６２の脚部６２Ａ、６２Ｂの下端部から左右外側へ略水平に張り出す一対のフランジ部６４Ａ、６４Ｂとを備えたハット状の部材である。すなわち、門形部６２は、一対のフランジ部６４Ａ、６４Ｂの間にフランジ部６４Ａ、６４Ｂと一体に設けられている。
【００２３】
連結部材５４は、梁部材１６の上面にフランジ部６４Ａ、６４Ｂを設置することにより、梁部材１６の上面に設置されている。この状態で、梁部材１６の上面と、門形部６２の内周面との間には、長方形状の構造断面を有するスチール角パイプからなる支持部材２６が挿入される挿入部としての直方体状の通路６６が形成されている。
【００２４】
受け板５６は、梁部材１６の下面に設置され、フランジ部６４Ａ、６４Ｂと受け板５６とによって梁部材１６を上下に挟み込んでいる。この図３及び図４の状態で、隙間５０と連通するように、梁部材１６の梁長方向に対して門形部６２の前後に位置するフランジ部６４Ａ、６４Ｂと受け板５６とには、鉛直の貫通孔６８Ａ、６８Ｂ、７０Ａ、７０Ｂが形成されている。そして、貫通孔７０Ａ、７０Ｂ、隙間５０、貫通孔６８Ａ、６８Ｂの順に下方から上方へボルト５８を貫通させ、ボルト５８の端部にナット７２をねじ込んで受け板５６とフランジ部６４Ａ、６４Ｂとを連結する。さらに、ナット７２を締め付けることによりフランジ部６４Ａ、６４Ｂと受け板５６とを上下から梁部材１６に押し付けて固定する。
【００２５】
図３に示すように、構造断面が縦長になるようにして通路６６へ挿入された支持部材２６の上面と下面とには、鉛直の貫通孔７４Ａ、７４Ｂが形成され、門形部６２の天井部７６には、鉛直の貫通孔７８が形成されている。そして、貫通孔７４Ｂ、７４Ａの順に下方から上方へボルト６０を貫通させ、ボルト６０の端部にねじ込ませたナット８０を下方へ締め付けることによってボルト６０を支持部材２６に固定する。さらに、ボルト６０を貫通孔７８へ下方から上方へ貫通させ、ボルト６０の端部にねじ込ませたナット８２とナット８０とによって門形部６２の天井部７６を上下に挟み込み、ナット８０の上面に設けられたワッシャー８４と天井部７６の下面との間にゴムブッシュ８６を配置し、ナット８２の下面に設けられたワッシャー８８と天井部７６の上面との間に弾性体としての防振ゴム９０を配置した状態で、ナット８２を下方へ締め付けることにより、門形部６２にボルト６０を固定している。
【００２６】
すなわち、連結部材５４と支持部材２６との間に弾性体としての防振ゴム９０が設けられた（連結部材５４から支持部材２６への振動伝達経路中に防振ゴム９０が設けられた）状態で、連結部材５４に設けられたボルト６０により、通路６６へ挿入された支持部材２６を連結部材５４に固定している。また、支持部材２６が連結部材５４に固定された状態で、梁部材１６と支持部材２６とは、平面視にて略直交して配置される。ナット８２は、ボルト６０の端部にねじ込まれてナット８２の上面に設けられたナット９２によるダブルナットによって緩み止め措置が施されている。
【００２７】
図３に示すように、支持部材２６の下端部の左右に位置する門形部６２の脚部６２Ａ、６２Ｂには、この脚部６２Ａ、６２Ｂの内面から内側に突出する円柱状のゴム部９４を有するストッパー部材９６が設けられており、天井部７６に形成された貫通孔７８付近を回転中心にして振り子状に支持部材２６が揺れた場合に、支持部材２６の下端部をゴム部９４に当てて衝撃を吸収し、支持部材２６の過剰な揺れを低減することができる。
【００２８】
通路６６へ支持部材２６を挿入する方向に対するフランジ部６４Ａ、６４Ｂの両端部には、この両端部から下方へ折り曲がって梁部材１６の側部を抱き込むように第１爪片９８Ａ、９８Ｂが設けられている。また、通路６６へ支持部材２６を挿入する方向に対する受け部５６の両端部には、この両端部から上方へ折り曲がって梁部材１６の側部を抱き込むように第２爪片１００が設けられている。
【００２９】
図６の断面図、及び図６のＢ−Ｂ矢視図である図７に示すように、鋼棒からなる吊り部材３２の上端部には上部吊り金物３０が設けられており、この上部吊り金物３０が支持部材２６に連結され固定されている。上部吊り金物３０は、長方形状の構造断面を有する短いスチール角パイプからなる箱状の部材であり、中空部１０２の上部に支持部材２６が貫入されている。また、上部吊り金物３０の対向する側壁部１０４、１０６に形成された貫通孔１０８、１１０へボルト１１２を貫通させ、ボルト１１２の端部にねじ込まれたナット１１４を締め付けることによって、上部吊り金物３０の側壁部１０４、１０６を支持部材２６の側面に押し付け、これによって、支持部材２６に上部吊り金物３０を固定している。さらに、ビス１１６によって、支持部材２６の側面に上部吊り金物３０の側壁部１０６をビス固定している。これらにより、支持部材２６に対して上部吊り金物３０が支持部材２６の材軸方向へずれることを防いでいる。また、閉鎖した環状部材によって形成された中空部１０２に支持部材２６が貫入されているので、支持部材２６から上部吊り金物３０が外れて落下するのを防ぐことができる。
【００３０】
図８の側面図、図９の側面図、及び図９のＣ−Ｃ矢視図である図１０に示すように、吊り部材３２の下部には、下部吊り金物３４が設けられており、天井ボード３６が取り付けられた受け部材としてのＣ形鋼からなる野縁受け材３８に連結されている。天井ボード３６は、重量仕上材である繊維混入石膏板を複数積層して構成されている（図８では、５枚の繊維混入石膏板を積層して天井ボード３６を構成している例が描かれている)。
【００３１】
下部吊り金物３４は、門形状に形成された鋼板からなり、下部吊り金物３４の脚部１１８Ａ、１１８Ｂには、この脚部１１８Ａ、１１８Ｂの曲げ強度を高めるためのリブ部材１２０Ａ、１２０Ｂが設けられている。
【００３２】
また、脚部１１８Ａ、１１８Ｂに形成された貫通孔１２２Ａ、１２２Ｂ、及び野縁受け材３８を左右に挟み込むようにして配置されビス１２４により一体化された回転連結プレート１２６Ａ、１２６Ｂに形成された貫通孔１２８Ａ、１２８Ｂへボルト１３０を貫通させ、ボルト１３０の端部にねじ込まれたナット１３２を締め付ける。これにより、回転連結プレート１２６Ａ、１２６Ｂを介して脚部１１８Ａ、１１８Ｂを野縁受け材３８に押し付け、これによって、野縁受け材３８に下部吊り金物３４を固定している。
【００３３】
さらに、ビス１２４によって、回転連結プレート１２６Ｂを介して野縁受け材３８のウェブ１３４に脚部１１８Ｂをビス固定するより、野縁受け材３８に対して下部吊り金物３４が野縁受け材３８の材軸方向へずれることを防いでいる。
【００３４】
図８に示すように、天井ボード３６は野縁１３６にビス等により固定され、この野縁１３６に野縁受け材３８が固定されている。図５に示すように、野縁１３６は、隣り合って配置される天井ボード３６の継ぎ目１３８と略平行になるようにして、Ｘ方向に対して複数配置されている。また、野縁受け材３８は、平面視にて野縁１３６と略直交するようにして、Ｙ方向へ複数配置されている。
【００３５】
天井下地の補強構造１４０は、スチール丸パイプからなる補強パイプ１４２Ａ、１４２Ｂ、スチール丸パイプからなる繋ぎパイプ１４４、鋼板からなる補強プレート１４６、及びスチール丸パイプからなるパイプブレース１４８Ａ〜Ｄを有している。
【００３６】
補強パイプ１４２Ａ、１４２Ｂは、隣り合う天井ボード３６の継ぎ目１３８に沿って、この継ぎ目１３８を介し平面視にて隣り合い、複数の野縁受け材３８の上をまたがるようにして配置されている。すなわち、一対の補強パイプ１４２Ａ、１４２Ｂは、隣り合う天井ボード３６により形成された天井屈曲面４０の屈曲部１５０（隣り合う天井ボード３６により形成された角部）を介し平面視にて隣り合うようにして配置されている。これにより、補強パイプ１４２Ａ、１４２Ｂは、平面視にて複数の野縁受け材３８と直交するようにして配置されている。
【００３７】
図８に示すように、補強パイプ１４２Ａ、１４２Ｂは、結合金物１５２により複数の野縁受け材３８と連結されて、複数の野縁受け材３８を繋いでいる。結合金物１５２は、一端が軸支された一対の保持体を備える保持部材１５４を有し、ボルトによって野縁受け材３８に固定されている。結合金物１５２は、この一対の保持体により補強パイプ１４２Ａ、１４２Ｂを取り囲んで挟み込むようして補強パイプ１４２Ａ、１４２Ｂを保持している。そして、一対の保持体を締め付けることにより、補強パイプ１４２Ａ、１４２Ｂに一対の保持体を押し付けて固定している。
【００３８】
図５及び図８に示すように、繋ぎパイプ１４４は、自在結合金物１５６により一対の補強パイプ１４２Ａ、１４２Ｂと連結されて、一対の補強パイプ１４２Ａ、１４２Ｂ同士を繋いでいる。これにより、繋ぎパイプ１４４と補強パイプ１４２Ａ、１４２Ｂとによって梯子構造１５８を構成している。自在結合金物１５６は、一対の保持部材１５４を備えており、スチール丸パイプを一対の保持部材１５４にそれぞれ固定した状態で、一方の保持部材１５４に固定されたスチール丸パイプの材軸と直交する回転軸に対して、他方の保持部材１５４に固定されたスチール丸パイプが回転可能となるように一対の保持部材１５４が連結されている。
【００３９】
パイプブレース１４８Ａ〜Ｄは、図１、図５及び図８に示すように、繋ぎパイプ１４４とパイプブレース１４８Ａ〜Ｄの下端部とを自在結合金物１５６で連結し、支持部材２６とパイプブレース１４８Ａ〜Ｄの上端部とを第２連結機構１６０によって連結することにより、補強パイプ１４２Ａ、１４２Ｂと支持部材２６とを繋いでいる。
【００４０】
図１１の斜視図に示すように、パイプブレース１４８Ａとパイプブレース１４８Ｂとは、平面視にてＸ方向に配置されており、鉛直軸に対して線対称となりパイプブレース１４８Ａとパイプブレース１４８Ｂとの間の距離が下方に向かうに従って短くなるように斜めに配置されている。パイプブレース１４８Ｃとパイプブレース１４８Ｄとは、平面視にてＹ方向に配置されており、鉛直軸に対して線対称となりパイプブレース１４８Ｃとパイプブレース１４８Ｄとの間の距離が下方に向かうに従って短くなるように斜めに配置されている。また、一対のパイプブレース１４８Ａ、１４８Ｂと、一対のパイプブレース１４８Ｃ、１４８Ｄとは、平面視にて略直交するようにして配置されている。
【００４１】
図１２の斜視図に示すように、第２連結機構１６０は、支持部材２６の間に架け渡されボルトナットにより支持部材２６に着脱可能に固定されているＬ形鋼からなる支持梁１６６と、この支持梁１６６から略水平に張り出すアームプレート１６８Ａ、１６８Ｂと、このアームプレート１６８Ａ、１６８Ｂに両端部を支持され略水平に配置されたスチール丸パイプからなる連結パイプ１７０とを備えている。そして、パイプブレース１４８Ａ〜Ｄと連結パイプ１７０とを、自在結合金物１５６により連結パイプ１７０の材軸方向の自由な位置に連結し、支持部材２６とパイプブレース１４８Ａ〜Ｄの上端部とを連結している。図１２には、支持部材２６とパイプブレース１４８Ａの上端部とを連結している例が示されている。
【００４２】
図５及び図８に示すように、補強プレート１４６は、天井屈曲面４０に沿って山形に形成されている鋼製の部材であり、隣り合う野縁受け材３８の端部１６２に両端部をビス１６４により接合することによって、隣り合う天井ボード３６の端部同士を連結している。
【００４３】
次に、本実施形態の天井構造の作用及び効果について説明する。
【００４４】
本実施形態の天井構造１０では、図１及び図８に示すように、吊り下げられた天井ボード３６に生じる地震時の揺れを、補強パイプ１４２Ａ、１４２Ｂと支持部材２６とを繋ぐパイプブレース１４８Ａ〜Ｄによって抑えることができる。特に、傾斜して吊り下げられた天井ボード３６に生じる地震時の複雑な揺れを、補強パイプ１４２Ａ、１４２Ｂと支持部材２６とを繋ぐパイプブレース１４８Ａ〜Ｄによって抑えることができる。また、複雑な屈曲天井面４０を形成するように天井ボード３６を吊り下げて配置した場合においてもパイプブレース１４８Ａ〜Ｄを容易に設置することができる。
【００４５】
また、補強構造１４０では、図５に示すように、補強パイプ１４２Ａ、１４２Ｂにより複数の野縁受け材３８を繋いで一体化し、隣り合う前記天井ボード３６により形成された屈曲天井面４０の屈曲部１５０を介し平面視にて隣り合う補強パイプ１４２Ａと補強パイプ１４２Ｂとを繋ぎパイプ１４４で繋いで、補強パイプ１４２Ａ、１４２Ｂと繋ぎパイプ１４４とにより梯子構造１５８を構成して天井そのものの剛性を向上させることによって、地震時に力が作用する天井屈曲部（屈曲部１５０付近）の強度を高めることができ、また、複数の天井ボード３６を一体化し稜線を有する１つの一体化された天井屈曲面４０を形成して、個々の天井ボード３６に生じる揺れを抑えることができる。
【００４６】
また、図８に示すように、補強プレート１４６により、隣り合う天井ボード３６の端部同士が連結される連結部（継ぎ目１３８）を補強することができる。
【００４７】
また、図３に示すように、フランジ部６４Ａ、６４Ｂと受け板５６とを梁部材１６に押し付けて固定することにより、梁部材１６の梁長方向に対する梁部材１６の自由な位置に連結部材５４を固定することができる。すなわち、梁部材１６の梁長方向に対する梁部材１６の自由な位置に支持部材２６を連結することができるので、この支持部材２６に固定される吊り部材３２をさまざまな平面位置に設置することができる。
【００４８】
また、支持部材２６は、梁部材１６の上方に配置されているので、連結部材５４に支持部材２６を固定するボルト６０が破断したり、ボルト６０の固定が外れてしまったりした場合においても、梁部材１６の上に支持部材２６が載るので、支持部材２６が梁部材１６から落下しない。
【００４９】
また、図３に示すように、支持部材２６は、梁部材１６と、梁部材１６に固定された連結部材５４の門形部６２との間に形成された通路６６に挿入された状態で、梁部材１６に支持されているので、地震等により梁部材１６が揺れた場合に、梁部材１６から支持部材２６が脱落するのを防ぐことができる。すなわち、支持部材２６に吊り下げられている吊り部材３２や天井ボード３６が落下するのを防ぐことができる。
【００５０】
また、図４に示すように、２つの構造部材４２、４４により梁部材１６を構成することによって、１つの構造部材よりも高い曲げ強度を確保することができる。
【００５１】
また、図４に示すように、第１爪片９８Ａ、９８Ｂ、及び第２爪片１００により、梁部材１６から第１連結機構２８（連結部材５４）が脱落するのを防ぐことができる。
【００５２】
また、図４に示すように、防振ゴム９０により、地震等により梁部材１６が振動した場合に、梁部材１６から支持部材２６に伝達される振動を低減することができる。すなわち、吊り部材３２や天井ボード３６に生じる揺れを低減し、吊り部材３２や天井ボード３６が落下するのを防ぐことができる。
【００５３】
これまで説明したように、本実施形態の天井構造１０は、地震時において天井ボード３６が落下するのを防ぐことができるものであるが、複雑な天井屈曲面や大空間を形成する天井ボードには地震時に複雑な振動が発生するので、特に有効となる。また、天井ボードを重量物にした場合や大地震時においても、天井ボードの落下を確実に防ぐことができる。
【００５４】
以上、本実施形態について説明した。
【００５５】
なお、本実施形態では、隣り合う天井ボード３６を、下方に凸の天井屈曲面４０を形成するように共に傾斜して配置した例を示したが、隣り合う天井ボード３６の少なくとも一方が傾斜していればよい。また、例えば、図１３の側面図に示すように、上方に凸の天井屈曲面４０を形成するように隣り合う天井ボード３６を配置するようにしてもよいし、屈曲しない天井平面、又は屈曲しない天井斜面を形成するように、隣り合う天井ボード３６を配置するようにしてもよい。また、天井ボード３６はどのような平面形状であってもよいし、どのような天井屈曲面４０を形成してもよい。
【００５６】
また、本実施形態では、天井ボード３６を、繊維混入石膏板を複数積層して構成した例を示したが、本発明の天井ボードは、天井面を形成することができる板状の部材を意味する。すなわち、天井ボードは、天井面を形成することができる板状の部材であればよく、例えば、化粧パネルや金属パネルであってもよい。
【００５７】
また、本実施形態では、梁部材１６の上面に一対のフランジ部６４Ａ、６４Ｂを設置し、梁部材１６の下面に受け板５６を設置した例を示したが、梁部材１６の下面に一対のフランジ部６４Ａ、６４Ｂを設置し、梁部材１６の上面に受け板５６を設置するようにしてもよい。また、他の機構を用いて、梁部材１６に連結部材５４を着脱可能に固定するようにしてもよい。
【００５８】
また、本実施形態では、隣り合う前記天井ボード３６により形成された屈曲天井面４０の屈曲部１５０を介し平面視にて隣り合う補強パイプ１４２Ａと補強パイプ１４２Ｂとを繋ぎパイプ１４４で繋ぎ、この屈曲部１５０を継ぎ目１３８とした例を示したが、屈曲部１５０が点であってもよい。例えば、下方へ凸の角錐状の天井面を天井ボードにより形成する場合には、この角錐の頂点を屈曲部として、この頂点を介し平面視にて隣り合う補強パイプを繋ぎパイプで繋ぐようにしてもよい。
【００５９】
また、本実施形態で示した自在結合金物１５６は、管部材を保持して固定する一対の保持部材を有し、この一対の保持部材同士が、管部材を保持して固定した状態で、一方の管部材の材軸と直交する回転軸に対して他方の管部材が回転可能となるように連結されているものであればよい。また、自在結合金物１５６は、地震時に管部材に作用する力を考慮して、必要とする接合強度及び構造強度を有するものを用いる。また、保持部材に管部材を固定した状態で、保持部材から管部材が材軸方向へずれるのを防ぐ措置を施すことが好ましい。例えば、保持部材に管部材を固定した状態で、さらに、ビスによって保持部材に管部材を固定する。
【００６０】
また、本実施形態では、補強パイプ１４２Ａ、１４２Ｂ、繋ぎパイプ１４４、及びパイプブレース１４８Ａ〜Ｄをスチール丸パイプとした例を示したが、これらは棒状の部材であればよい。例えば、スチール角パイプやスチール丸棒等の他の構造断面形状を有する棒状の部材としてもよい。この場合、結合金物は、これらの部材の形状に対応したものを用いる。補強パイプ１４２Ａ、１４２Ｂ、繋ぎパイプ１４４、及びパイプブレース１４８Ａ〜Ｄを丸パイプや丸棒とすれば、被連結部材に対するこの丸パイプや丸棒の取り付け角度の自由度を高くすることができ、天井構造１０の組み立て易さを向上させることができる。
【００６１】
また、パイプブレース１４８Ａ〜Ｄは、天井ボード３６の上方のどの位置に配置してもよいし、どの繋ぎパイプ１４４のどの位置に連結してもよい。必ずしも、パイプブレース１４８Ａ〜Ｄを対にして配置しなくてもよいし、一対のパイプブレース１４８Ａ〜Ｄ同士を平面視にて直交するようにしなくてもよい。パイプブレースは、バランス良く配置することが好ましい。
【００６２】
また、本実施形態では、下部吊り金物３４を野縁受け材３８に連結することにより、吊り部材３２によって天井ボード３６を吊り下げた例を示したが、例えば、図１４に示すような下部吊り金物１７２を用いて、野縁受け材３８がこの野縁受け材３８の材軸回りに傾いて配置されるような場合においても、略鉛直に吊り下げられた状態で、吊り部材３２の下端部が下部吊り金物１７２に連結されるようにしてもよい。下部吊り金物１７２では、下部吊り金物１７２の円弧部１７４に沿ってこの円弧部１７４に形成された長孔（不図示）に吊り部材３２の下端部を貫通させて、円弧部１７４に沿って自由に移動させる。そして、吊り部材３２の下端部が連結される円弧部１７４の位置で、挟み込み部材１７６、１７８によって円弧部１７４を上下から挟み込み、吊り部材３２の下端部にねじ込まれたナット１８０の締め付けによって挟み込み部材１７６、１７８を円弧部１７４に押し付けて固定する。
【００６３】
また、本実施形態で示した天井構造１０を構成する部材の設計震度は、水平震度２．０Ｇ、鉛直震度１．０Ｇとするのが好ましい。なお、従来の設計震度は、水平震度１．０Ｇ、鉛直震度０．５Ｇ程度とされることが多い。
【００６４】
また、本実施形態で示した天井構造１０は、新築工事に適用してもよいし、改修工事に適用してもよい。
【００６５】
以上、本発明の実施形態について説明したが、本発明はこうした実施形態に何等限定されるものでなく、本発明の要旨を逸脱しない範囲において、種々なる態様で実施し得ることは勿論である。
【符号の説明】
【００６６】
１０  天井構造
１６  梁部材
２６  支持部材
３２  吊り部材
３６  天井ボード
３８  野縁受け材（受け部材）
４０  天井屈曲面
１４２Ａ、１４２Ｂ  補強パイプ
１４４  繋ぎパイプ
１４６  補強プレート
１４８Ａ〜Ｄ  パイプブレース
１５０  屈曲部
１５８  梯子構造
【図１】
0005921184.tif 000002
【図２】
0005921184.tif 000003
【図３】
0005921184.tif 000004
【図４】
0005921184.tif 000005
【図５】
0005921184.tif 000006
【図６】
0005921184.tif 000007
【図７】
0005921184.tif 000008
【図８】
0005921184.tif 000009
【図９】
0005921184.tif 000010
【図１０】
0005921184.tif 000011
【図１１】
0005921184.tif 000012
【図１２】
0005921184.tif 000013
【図１３】
0005921184.tif 000014
【図１４】
0005921184.tif 000015